(57)【特許請求の範囲】
【請求項１】
構築物に設けられる吊持手段と、この吊持手段に吊持される足場本体とを有し、この足場本体が吊り枠と、この吊り枠に基端部が枢着されて起伏自在とされる床とを有してなる吊り足場において、
上記構築物に人の立ち入りを許容する多段の足場を有する多段足場からなる受止め体を設け、
上記吊り枠が上記床を起立させた状態で上記吊持手段に吊持されて横方向に回動可能とされ、
回動された上記吊り枠を上記受止め体に対向させると共に倒伏された上記床の先端部を上記受止め体に連結させてなることを特徴とする吊り足場。
【請求項２】
上記吊り枠が立てた状態で並列される一方の吊り支柱および他方の吊り支柱を有し、
上記一方の吊り支柱の上端部が上記吊持手段に連結されて横方向に回動可能とされ上記他方の吊り支柱の横方向への旋回が可能とされてなる請求項１に記載の吊り足場。
【請求項３】
上記床が上記吊り枠に基端部を枢着させて起伏自在とされる起伏腕に展設されるパネル、あるいは、上記吊り枠に基端部が枢着されて起伏自在とされるパネルを有し、
上記起伏腕、あるいは、上記パネルの先端部が上記受止め体に連結されてなる請求項１または請求項２に記載の吊り足場。
【請求項４】
上記受止め体に対向させる先頭の足場本体と、上記先頭の足場本体に対向させる後続の足場本体とを設け、上記先頭の足場本体における上記吊り枠が上記床を起伏させる側の反対側に背面枠を有し、
この背面枠が上記吊り枠に並列して連結される一対の縦支柱と、この一対の縦支柱における上端部および下端部に連結される横材を有し、
上記一対の縦支柱における下端部に連結される上記横材が上記後続の足場本体における上記床の先端部の連結を可能にしてなる請求項１，請求項２または請求項３に記載の吊り足場。
【請求項５】
上記吊り枠に定尺に形成された吊り材の上端部が連結されると共に上記床に上記吊り材の下端部が連結されてなる請求項１、請求項２、請求項３、または請求項４に記載の吊り足場。
【請求項６】
上記吊り枠が梯子状に形成されてなる請求項１、請求項２、請求項３、請求項４、または請求項５に記載の吊り足場。
【請求項７】
構築物に設けられる吊持手段と、この吊持手段に連結される足場本体とを有し、この足場本体が吊り枠と、この吊り枠に基端部が枢着されて起伏自在とされる床とを有してなる吊り足場の設置方法において、
上記構築物に人の立ち入りを許容する多段の足場を有する多段足場からなる受止め体を設けておき、
上記床を起立させた状態の上記吊り枠を上記吊持手段に連結して横方向に回動させ、
回動された上記吊り枠を上記受止め体に対向させると共に倒伏された上記床の先端部を上記受止め体に連結させることを特徴とする吊り足場の設置方法。
【発明の詳細な説明】
【技術分野】
【０００１】
この発明は、高所作業などの際に利用する吊り足場の改良に関し、また、吊り足場の設置方法に関する。
【背景技術】
【０００２】
高所作業などの際に利用する吊り足場にあっては、作業員などの人が立ち入るいわゆる足場を形成するのはもちろんだが、仮設物となる性格上、搬送性や設置性に優れることが肝要となる。
【０００３】
たとえば、特許文献１に開示の吊り足場にあっては、軸線方向が横方向となる構築物たる橋梁に吊持される足場本体を有し、足場本体は、人の立ち入りを許容する床と、床の両側に枢着されて起立する一対の吊り枠とを有し、設置時には、正面形状を角Ｕ字状にする篭状に形成されて橋梁の側面に沿うように吊持される。
【０００４】
そして、足場本体にあって、床は、パネルを有してなり、パネルは、中央から山形に折り畳み可能とされ、吊り枠は、床を枢着させる幅を有する梯子状に形成されて人の昇降を可能にし、吊り枠の上端部が橋梁の天端に橋梁の軸線方向を横切る方向に設けられる棹に吊持される。
【０００５】
それゆえ、吊り足場にあっては、足場本体を形成する一対の吊り枠が橋梁の天端に設けられる一対の棹にそれぞれ吊持されることで、足場本体が橋梁に吊持されることになり、吊り枠を梯子にする人の床への立ち入りを許容する作業用足場を橋梁の側面に設けることを可能にする。
【０００６】
そして、吊り足場にあって、不使用時には、足場本体、つまり、各吊り枠を各棹から外し、床を山形に折り畳むと共に折り畳まれた床を一対の吊り枠で挟む態勢にすることで板状にコンパクト化でき、搬送性に優れることになる。
【先行技術文献】
【特許文献】
【０００７】
【特許文献１】特開平１０−１８５７８号公報
【発明の概要】
【発明が解決しようとする課題】
【０００８】
しかしながら、上記の吊り足場にあっては、足場本体が板状にコンパクト化されて搬送性に優れる点で、基本的に問題がある訳ではないが、足場本体の設置や撤去の実際を勘案すると、些かの不具合があると指摘される可能性がある。
【０００９】
すなわち、上記の吊り足場にあって、足場本体を橋梁に吊持させるのに際しては、板状にコンパクト化されている状態からあらかじめ展開させて設置時の篭状に成形することが必須になる。
【００１０】
つまり、橋梁の天端に設けられる一対の棹は、篭状に展開されている足場本体における一対の吊り枠を吊持し得るようにあらかじめ位置決めされているから、足場本体にあっても、床が平らにされた展開状態で一対の吊り枠が固定的に起立されていることが必須になる。
【００１１】
そして、上記の足場本体では、一対の吊り枠に交差ブレースおよび手摺を架け渡して展開状態を維持するとしているから、足場本体を設置する際に交差ブレースおよび手摺を架け渡す手間を要し、また、足場本体を撤去してコンパクト化する際に交差ブレースおよび手摺を取り外す手間を要することになる。
【００１２】
のみならず、足場本体を設置する作業、および、足場本体を撤去する作業は、足場本体が篭状に成形された言わば嵩張る状態で行われることになるから、たとえば、クレーンなどの機械力を利用したり、多数人の人力を利用したりすることになり、仮設費の高騰を招く危惧がある。
【００１３】
この発明は、上記した事情を鑑みて創案されたものであって、その目的とするところは、コンパクト化された状態での足場本体の設置および撤去を可能にして仮設費の高騰を危惧させない吊り足場を提供することである。
【課題を解決するための手段】
【００１４】
上記した目的を達成するために、本発明の手段は、構築物に設けられる吊持手段と、この吊持手段に吊持される足場本体とを有し、この足場本体が吊り枠と、この吊り枠に基端部が枢着されて起伏自在とされる床とを有してなる吊り足場において、上記構築物に人の立ち入りを許容する多段の足場を有する多段足場からなる受止め体を設け、上記吊り枠が上記床を起立させた状態で上記吊持手段に吊持されて横方向に回動可能とされ、 回動された上記吊り枠を上記受止め体に対向させると共に倒伏された上記床の先端部を上記受止め体に連結させてなることを特徴とする。

【００１５】
同じく、本発明の他の手段は、 構築物に設けられる吊持手段と、この吊持手段に連結される足場本体とを有し、この足場本体が吊り枠と、この吊り枠に基端部が枢着されて起伏自在とされる床とを有してなる吊り足場の設置方法において、
上記構築物に人の立ち入りを許容する多段の足場を有する多段足場からなる受止め体を設けておき、 上記床を起立させた状態の上記吊り枠を上記吊持手段に連結して横方向に回動させ、 回動された上記吊り枠を上記受止め体に対向させると共に倒伏された上記床の先端部を上記受止め体に連結させることを特徴とする。
【００１６】
足場本体において、吊り枠に対して枢着する床を起立状態にすることで、足場本体を板状にコンパクト化することが可能になる。
【００１７】
したがって、吊り足場を構築物に設置する際に、コンパクト化された足場本体を吊持手段の利用で構築物に吊持させることが可能になり、展開された状態の足場本体を構築物に吊持させる場合に比較して、足場本体の吊持作業を容易にする。
【００１８】
そして、吊り足場を構築物から撤去する際にも、足場本体を板状にコンパクト化し得るから、展開された状態のまま構築物から撤去する場合に比較して、撤去作業を容易にする。
【発明の効果】
【００１９】
その結果、この発明によれば、足場本体が板状にコンパクト化された状態で嵩張らないから、構築物への設置および構築物からの撤去に際して、クレーンなどの機械力や多数人の人力によらずして、設置および撤去を実践し得ることになり、仮設費の高騰を危惧させないことになる。
【図面の簡単な説明】
【００２０】
【図１】この発明による吊り足場を構築物に設けた状態を示す概略斜視図である。
【図２】図１の足場本体を示す正面縦断面図である。
【図３】吊持手段の一実施形態を示す概略正面図である。
【図４】図３の吊持手段の概略平面図である。
【図５】吊り足場を構築物に設ける手順を示す概略平面図で、（Ａ）は、板状にコンパクト化された吊り足場を吊持手段に連結して構築物に吊持させた状態を示し、（Ｂ）は、吊持手段に吊持された吊り足場を回動させた状態を示し、（Ｃ）は、回動された吊り足場にあって倒伏された床の先端部を受止め体に連結させた状態を示す。
【図６】他の実施形態の足場本体を示す概略正面図である。
【発明を実施するための形態】
【００２１】
以下に、図示した実施形態に基づいて、この発明を説明するが、この発明による吊り足場は、たとえば、軸線方向が横方向となる橋梁たる構築物に対する塗装工事などをする際の利用に向く。
【００２２】
そして、吊り足場は、図１および図２に示す足場本体Ａと、この足場本体Ａを吊持する図３および図４に示す吊持手段１とを有してなり、足場本体Ａが吊り枠２と、この吊り枠２に基端部（符示せず）が枢着されて起伏自在とされる床３とを有してなる。
【００２３】
そしてまた、この発明による吊り足場の設置方法は、図５に示すように、足場本体Ａにあって床３を起立させた状態の吊り枠２が吊持手段１で構築物Ｂに吊持されて横方向に回動可能とされ（図５（Ａ），（Ｂ）参照）、回動された吊り枠２にあって倒伏された床３の先端部が構築物Ｂに設けられて回動された吊り枠２に対向する受止め体に連結されるとする（図５（Ｃ）参照）。
【００２４】
以下に詳しく説明すると、先ず、構築物Ｂは、図１に示すところでは、Ｉ型鋼からなるが、吊持手段１を設けることを可能にする限りには、任意に構成されて良く、図示しないが、たとえば、断面を矩形にする中空鋼材からなるとしても良い。
【００２５】
また、構築物Ｂは、吊持手段１を設けることを可能にする限りには、コンクリート造とされていたり、木造とされていたりしても、この発明の具現化を可能にするのはもちろんであり、また、吊持手段１を設ける観点からすれば、構築物Ｂの天端（符示せず）は、好ましくは段差のない平坦面からなるのが良い。
【００２６】
次に、この発明の吊り足場を構成する足場本体Ａは、図示するところでは、構築物Ｂの図１中で左下側となる一方側面に単基で設置されるとするが、これに代えて、図示しないが、構築物Ｂの右上側となる他方側面にも言わば釣り合うように設置されるとしても良く、さらには、一方側面および他方側面のいずれか一方または両方に複数基が整列されて設置されるとしても良い。
【００２７】
そして、足場本体Ａは、図示するところでは、作業員などの人の立ち入りを許容する下段の床３および中段の床３を有する２段床構造とされているが、この発明が意図するところからすると、図示しないが、下段の床３のみを有する単床構造とされたり、あるいは、逆に、最上段の床３を有して三段床構造とされたりしても良い。ちなみに、図示する足場本体Ａにあっては、最上段の床３を有せず、構築物Ｂの天端と足場本体Ａの内側との間における人の往復を容易にしている。
【００２８】
また、足場本体Ａの寸法は、基本的には、任意で良いが、この種の仮設物が多くの場合に採用する寸法を有するのが好ましく、たとえば、０．３メートルを基本寸法にするのが良い。
【００２９】
そして、０．３メートルの基本寸法を採用するとして、足場本体Ａは、図１に示すところでは、構築物Ｂの軸線方向となる長さ寸法がほぼ１．８メートルとされ、構築物Ｂの軸線を横切る方向となる幅寸法がほぼ０．６メートルとされ、高さ寸法がほぼ１．８メートル＋ほぼ１．８メートルとされるとしている。
【００３０】
そしてまた、足場本体Ａは、構築物Ｂに吊持するとき、図示するところでは、上端が構築物Ｂの天端より上方に位置決めされるとし、足場本体Ａにおいて、構築物Ｂの天端より上方に突出する部位（符示せず）については、人が足場本体Ａの内側と構築物Ｂの天端との間を往復する際のいわゆる手摺として機能する部位とされる。
【００３１】
さらに、足場本体Ａが構築物Ｂの天端より上方に突出する部位を有する場合には、足場本体Ａを構築物Ｂに吊持させたり構築物Ｂから撤去したりする作業の際に、人が突出部位を把持などして作業できる点で有利となる。
【００３２】
ちなみに、足場本体Ａの上端は、構築物Ｂとの間における人の往復を可能にする観点からすれば、人の往復の障害とならないようにするために、図示しないが、構築物Ｂの天端と面一になるように設定されても良い。
【００３３】
足場本体Ａの構成材料については、所定の機械的強度を具有する限りには、自由な材料が選択されて良く、たとえば、旧来の鉄材が選択されて耐久性が保障されるとしも良く、また、アルミ合金材や合成樹脂材が選択されて全体重量の軽減化に寄与するとしても良い。
【００３４】
戻って、足場本体Ａは、前記したが、吊り枠２に基端部が枢着されて起伏自在とされる床３が倒伏されるとき、床３の先端部が構築物Ｂにあらかじめ設けた受止め体に連結されるとし、床３の先端部の受止め体への連結で、床３の基端部が吊り枠２に枢着されて言わば支持されているから、床３が人の立ち入りを許容するいわゆる足場を形成することになる。
【００３５】
そのため、足場本体Ａにあって、先ず、吊り枠２は、立てた状態で横方向に並列される一方の吊り支柱２１および他方の吊り支柱２２を有し、一方の吊り支柱２１の上端部（符示せず）が吊持手段１に連結されて構築物Ｂに対して横方向に回動可能とされ、他方の吊り支柱２２の構築物Ｂに対する横方向への旋回が可能とされる。
【００３６】
吊り枠２にあって、一方の吊り支柱２１および他方の吊り支柱２２は、上端部が頭繋ぎ２３で一体的に連結されると共に、下端部（符示せず）が脚繋ぎ２４で一体的に連結され、また、図示するところでは、両方の吊り支柱２１，２２の上端部と下端部との間が複数の横桟２５で一体的に連結されてなるとしている。
【００３７】
このように、吊り枠２にあって、一方の吊り支柱２１と他方の吊り支柱２２とが頭繋ぎ２３および脚繋ぎ２４で一体的に連結されることで、一方の吊り支柱２１の上端部が吊持手段１に連結されて構築物Ｂに対して横方向に回動可能に吊持されるとき、他方の吊り支柱２２も併せて構築物Ｂに吊持された状態になる。
【００３８】
また、吊り枠２にあって、一方の吊り支柱２１と他方の吊り支柱２２とが頭繋ぎ２３および脚繋ぎ２４の他に複数の横桟２５で一体的に連結されることで、吊り枠２が梯子状に形成されることになり、吊り枠２を梯子として利用することを可能にし、人が吊り枠２を昇降し得るのはもちろんのこと、人が構築物Ｂから吊り枠２に移り、また、吊り枠２から構築物Ｂに移ることを可能にする。
【００３９】
以上からすると、吊り枠２が構築物Ｂに対する横方向の回動を可能にし得る限りには、また、梯子として機能し得る限りには、たとえば、複数の横桟２５は有するが、頭繋ぎ２３および脚繋ぎ２４の両方あるいはいずれが一方の配設が省略されるとしても良い。
【００４０】
もっとも、この発明にあって、吊り枠２は、床３の基端部を枢着させて床３を起伏自在に有することからすると、床３の基端部を枢着し易くする脚繋ぎ２４の配設は省略されない方が好ましいと言い得る。
【００４１】
また、図示する足場本体Ａにあっては、吊り枠２が下段の床３の他に中段の床３を有することから、中段の床３の基端部（符示せず）を枢着させる構成が一方の吊り支柱２１と他方の吊り支柱２２の中段に設けられることになるが、図示するように、中段の床３の基端部を枢着させる構成が両方の吊り支柱２１，２２を連結する横桟２５からなるとしても良く、図示しないが、横桟２５に代わる専用の被枢着部材が設けられるとしても良い。
【００４２】
なお、吊り支柱２１，２２および頭繋ぎ２３，足繋ぎ２４，横桟２５にあっては、これらがパイプ材からなるとして、可能な限りの軽量化が図られるのが好ましく、また、部材点数の削減を可能にする観点からは、可能な限りの部材の一体化が図られるのが好ましい。
【００４３】
また、吊り支柱２１，２２の下端部（符示せず）は、床３の基端部を枢着させる部位（符示せず）より下方に突出して、たとえば、吊り支柱２１，２２の下端部を地表面（図示せず）などに突き当てるようにするとき、床３の基端部を枢着させる部位が地表面などに接触して、床３の基端部を枢着させる部位に変形などの故障を誘発させることをあらかじめ防止している。
【００４４】
そして、吊り支柱２１，２２は、図示するところでは、いわゆる一本物からなるとしているが、これに代えて、図示しないが、所定の機械的強度を保障し得る限りには、分割されていわゆる上下となるものを連結してなるとしても良く、この場合に、上下にあっては、吊り支柱２１，２２がそれぞれ頭繋ぎ２３，足繋ぎ２４および横桟２５で連結されてなるとするのが良い。
【００４５】
次に、床３は、吊り枠２に基端部が枢着されて起伏自在とされ、図２中に一点鎖線図で示すように、起立するときに吊り枠２に副うようになって、足場本体Ａのコンパクト化を可能にすると共に、図１および図２に示すように、倒伏されたときに、人の立ち入りを許容するいわゆる足場の形成を可能にする。
【００４６】
床３は、基端部が吊り枠２に枢着されて起伏自在とされる限りには、また、吊り枠２に対して倒伏されて先端部の受止め体への連結を可能にする限りには、任意に構成されて良い。
【００４７】
そして、床３は、図２に示すところでは、一対の起伏腕３１と、一対の起伏腕３１に展設されるパネル３２とを有してなり、一対の起伏腕３１の基端部（符示せず）が吊り枠２に、つまり、図示するところでは、吊り枠２における脚繋ぎ２４および横桟２５に枢着されて、吊り枠２に対して起伏自在とされてなる。
【００４８】
そしてまた、床３にあって、一対の起伏腕３１の先端部（符示せず）が受止め体に着脱可能に連結されるとしており、図示するところでは、起伏腕３１が先端部にフック３１ａを有してなるとしている。
【００４９】
一対の起伏腕３１は、基端部が吊り枠２における脚繋ぎ２４および横桟２５に枢着されて、吊り枠２に対して起伏自在とされる限りには、任意に構成されて良いが、所定の機械的強度を有して可能な限りの軽量化を達成し得るのであれば、たとえば、角パイプからなるとしても良い。
【００５０】
なお、起伏腕３１の先端部に設けられるフック３１ａについては、たとえば、連結後の地震などによる受止め体の上下動で、受止め体から簡単に離脱しないように、いわゆるストッパ装置を利用して、受止め体に連結された態勢が維持されるのが好ましい。
【００５１】
パネル３２は、荷重作用で変形して人の継続する立ち入りや繰り返しの立ち入りを困難にしない限りには、任意に構成されて良いが、可能な限りの軽量化を図ると共に、物、たとえば、工具類の落下を効果的に阻止し得る限りには、孔開きパネルが利用されるなどとしても良い。
【００５２】
そして、パネル３２の起伏腕３１への連結については、図示しないが、パネル３２が起伏腕３１に溶接されたり、あるいは、パネル３２がネジやピンの利用で起伏腕３１に連結されたり自由であるが、パネル３２が変形した場合の交換を可能するように、パネル３２が起伏腕３１に分離可能に連結されるのが良い。
【００５３】
一方、床３は、構成の簡素化のために、図示しないが、たとえば、起伏腕３１を有せずしてパネル３２のみからなるとしても良く、この場合には、パネル３２は、パネル３２の基端部が吊り枠２における脚繋ぎ２４あるいは横桟２５に枢着され、パネル３２の先端部が、たとえば、フックを有して受止め体に着脱可能に連結されることになる。
【００５４】
床３がパネル３２からなり、起伏腕３１を有しない場合には、図示しないが、パネル３２が裏面に補強リブを有するなどして、人の立ち入りなどで簡単に変形などしない機械的強度を有するように配慮されるのが良い。そして、パネル３２が補強リブを有する場合には、補強リブの基端部も吊り枠２に枢着されるとしても良い。
【００５５】
以上のように形成される床３は、吊り枠２に起立された状態に保持されている状態から水平状態になるように倒伏されることで、人の立ち入りを許容する足場を形成するが、所定の水平状態を具現化し易くする配慮がなされている。
【００５６】
すなわち、床３は、吊り枠２に起立状態に保持されている状態とから水平状態に倒伏されて、先端部が受止め体に連結されることで、人の立ち入りを許容するいわゆる足場を形成するが、このことからすると、倒伏される床３は、基本的には、ほぼ水平状態になることで足り、水平状態のときより先端部が大きく持ち上がったり、大きく下がったりしないのが良いことになる。
【００５７】
そして、床３の先端部が水平状態のときより大きく持ち上がると、床３の先端部を受止め体における受止め位置に連結し得なくなるので、絶対的に避けなければならないが、床３の先端部が水平状態のときより大きく下がると、下がっている床３の先端部を大きく持ち上げるようにして受止め体における受止め位置に連結しなければならなくなるので、作業性を悪くする。
【００５８】
そこで、この発明では、水平状態にされた床３の先端部が受止め体における受止め位置の下方に大きく下がることがないように、床３を吊り材３３で吊り枠２に吊るとしている。ちなみに、吊り材３３で床３を吊ると、床３の先端部が受止め体における受止め位置に近い下方に位置決められるが、この場合には、人が床３の先端部をやや持ち上げるようにしてやることで、床３の先端部の受止め体への連結が実現されることになり、作業に際して人への大きな負担とならない。
【００５９】
吊り材３３は、床３を吊る限りには、たとえば、ロッド状体からなるなど任意に構成されて良いが、好ましくは、床３を起立させた状態に維持するときに、いわゆる邪魔にならないチェーンやワイヤロープなどの可撓性に富むもので構成されるのが良い。
【００６０】
ちなみに、床３は、図示するところでは、いわゆる一枚板状に形成されてなるが、この床３が機能するところからすれば、これに代えて、図示しないが、中央部で山形に二つ折りされるとしても良く、また、吊り材３３は、図示するところでは、上段の床３および下段の床３にそれぞれ設けられるとしているが、これに代えて、図示しないが、一本の吊り材３３で上下の床３を連動させ得るように構成されても良い。
【００６１】
戻って、この発明の吊り足場を構成する吊持手段１は、足場本体Ａを構築物Ｂに吊持させるのはもちろんだが、この発明が意図するところからすると、足場本体Ａを構築物Ｂに対して横方向の回動を可能にするように吊持するものであれば良く、したがって、任意に構成されて良いが、構築物Ｂには着脱可能に設けられ、足場本体Ａを着脱可能に吊持させるとする。
【００６２】
このことから、吊持手段１は、図３および図４に示すところでは、棹１１と、基軸１２と、連結体１３とを有してなるのを基本とし、要する場合に、棹１１，基軸１２および連結体１３において、設計変更がなされる。
【００６３】
そして、吊持手段１は、図示するところでは、構築物Ｂにいわゆる単一に設けられているが、構築物Ｂに連結されたときの安定性を向上させる上から、あるいは、構築物Ｂの天端が構築物Ｂの軸線方向に傾斜している際の水平を確保するために、複数、たとえば、二つとされ、二つが適宜に一体とされて設けられるとしても良い。
【００６４】
棹１１は、図示するところでは、たとえば、単管からなり、構築物Ｂの軸線方向を横切る方向に配設され、この状態で連結具１４を利用して構築物Ｂたる橋梁のフランジ部（符示せず）に固定的に保持される。
【００６５】
棹１１が単管からなる場合には、入手が容易になる点で有利となるが、結果的には、棹１１が足場本体Ａを吊持することを勘案すると、図示しないが、単管からなるのに代えて、たとえば、Ｉ型梁材などが利用されたり、構築物Ｂに溶接などされる専用ブラケットが利用されたりしても良い。
【００６６】
連結具１４は、棹１１を構築物Ｂに着脱可能に連結することを可能にする限りには任意に構成されて良いが、図示するところでは、万力部１４ａと、この万力部１４ａの上端に設けられたクランプ部１４ｂとからなり、万力部１４ａが橋梁のフランジ部を挟持すると共に、クランプ部１４ｂが棹１１を分離可能に把持する。
【００６７】
基軸１２は、足場本体Ａにおける吊り枠２を棹１１に連結させる限りには任意に構成されて良いが、図示するところでは、棹１１の先端部（符示せず）、つまり、構築物Ｂの側面より外方に突出する棹１１の先端部から上方に向けて延在されてなる。そして、基軸１２は、図３に示すように、上下となり吊り枠２の上端部に連結される連結体１３の連結を許容する。
【００６８】
ところで、吊持手段１は、足場本体Ａをいわゆる垂直に吊持することが肝要になる。このことからすると、基軸１２は、足場本体Ａを垂直状態にして連結させることが肝要となるが、そのためには、基軸１２を連結させる棹１１が構築物Ｂの天端に設けられるとき、基軸１２を垂直状態にし得るように構築物Ｂに設けられることが肝要となる。
【００６９】
そこで、図示するところでは、吊持手段１は、単一に設けられてなるが、基軸１２を垂直状態にすることを容易にする上からは、吊持手段１が複数とされ、たとえば、複数となる棹１１同志が相互に連結され、また、各棹１１に設けられる基軸１２同志が相互に連結されて垂直状態を維持し易いように構成されるとしても良い。
【００７０】
戻って、図示しないが、足場本体Ａの上端が構築物Ｂの天端と面一になる場合、あるいは、足場本体Ａの上端が構築物Ｂの天端より下方に位置決めされる場合には、基軸１２が棹１１の先端部から下方に向けて延在されるとしても良い。
【００７１】
なお、棹１１および基軸１２は、図示するとことでは、別部材からなって補強材１５の連結を伴ってＬ字状に一体的に連結されてなるが、棹１１および基軸１２が機能するところからすれば、また、棹１１が単管からなることを勘案すれば、単管をＬ字状に折り曲げて棹１１および基軸１２が一体に形成されてなるとしても良い。
【００７２】
連結体１３は、一端部（符示せず）に基軸１２を着脱可能に把持する基軸側クランプ部１３ａを有すると共に、他端部（符示せず）に吊り枠２の上端部を着脱可能に把持する吊り枠側クランプ部１３ｂを有する蝶番構造に形成されてなる。
【００７３】
連結体１３が蝶番構造に形成されることで、図４中に一点鎖線図で示すように、基軸１２に保持された吊り枠２が連結体１３で回動可能とされることになり、したがって、吊り枠２は、構築物Ｂに対して横方向の回動が可能とされることになる。
【００７４】
また、基軸側クランプ部１３ａおよび吊り枠側クランプ部１３ｂは、単管の分離可能な把持を可能にする既存のクランプからなるとして良いが、基軸１２および吊り枠２における一方の吊り支柱２１の把持を可能にする限りには、任意に構成されて良い。
【００７５】
それゆえ、上記のように形成された吊持手段１によれば、基軸１２に足場本体Ａを連結することで、つまり、基軸１２に上下に連結された連結体１３に足場本体Ａを形成する吊り枠２における一方の吊り支柱２１の上端部を連結することで、足場本体Ａが構築物Ｂに吊持されると共に、連結体１３によって構築物Ｂに対して横方向に回動可能とされることになる。
【００７６】
ちなみに、連結体１３は、基軸側クランプ部１３ａと吊り枠側クランプ部１３ｂとを有してなるから、足場本体Ａを吊持手段１に吊持させる際に、足場本体Ａにおける一方の吊り枠２１にあらかじめ連結されてなるとし、その状態で吊持手段１における基軸１２に連結されるとしても良い。
【００７７】
ところで、この発明の吊り足場にあって、構築物Ｂは、回動された吊り枠２に対向する受止め体を設けてなり、受止め体は、吊り枠２にあって倒伏された床３の先端部の連結を可能にする限りには、基本的には、任意に構成されて良い。
【００７８】
以下に、受止め体について説明するが、図１および図２に示すところでは、受止め体が構築物Ｂに吊持されて人の立ち入りを許容する多段の足場を有する多段足場４からなる。
【００７９】
多段足場４は、図２に示すように、パイプからなる四本の支柱４１と、四本の支柱４１を四辺部で横方向に連結するパイプからなる複数本の横材４２と、足場本体Ａの態様に相応するように二段となるパネルからなる足場４３とを有してなり、さらには、補強部材としての交差ブレース４４と、作業する人の安全を確保する手摺４５とを有してなる。
【００８０】
そして、多段足場４にあって、四本の支柱４１と複数本の横材４２の連結構造については自由であり、たとえば、溶接で一体的に連結形成されても良く、クランプを利用するなどして横材４２を分離可能に支柱４１に連結するものであっても良い。
【００８１】
また、多段足場４にあって、四本の支柱４１で形成される四面の内の少なくとも一面、図示するところでは、足場本体Ａにおける横方向に回動された吊り枠２に対向する面が横材４２と共に複数の桟部材４６を上下方向に有して梯子状に形成されてなるとし、多段足場４における人の昇降を可能にしている。
【００８２】
なお、多段足場４における人の昇降を可能にするために、図示しないが、上記に加えて、あるいは、上記と別に、構築物Ｂの側面に対向する面が複数の桟部材４６を上下方向に適宜の間隔で設けてなる梯子とされるとしても良い。
【００８３】
そしてまた、多段足場４にあって、足場４３は、足場機能を発揮する限りには、横材４２に一体的に連結されていても良く、また、横材４２に掛け渡すように設けられていても良い。
【００８４】
さらに、多段足場４にあって、上段の足場４３については、これが起伏可能などとされることで、下段の足場４３にいる人が多段足場４を昇って構築物Ｂの天端に行くことを可能にしたり、また、構築物Ｂの天端にいる人が多段足場４を下りて下段の足場４３に立ち入ることを可能にしたりするのが良い。
【００８５】
一方、多段足場４は、構築物Ｂに対しては、任意の構造で着脱可能に設けられるとしており、たとえば、前記した図３および図４に示す吊持手段１が利用されるとしても良く、さらには、足場本体Ａの連結、つまり、床３の先端部の連結を可能にする限りには、他の使用目的で設けられているものであっても良い。
【００８６】
そしてまた、図示する多段足場４にあっては、足場本体Ａを構成する床３の先端部を連結させる部位として横材４２を提供するとしているが、これに代えて、図示しないが、横材４２あるいは支柱４１に床３の先端部の連結を可能にする被連結部材を別途に有してなるとしても良い。
【００８７】
受止め体たる多段足場４が上下となる二段の足場４３を有して構築物Ｂにあらかじめ吊持されてなるとするから、多段足場４自体が人の立ち入りを許容する足場を形成するのはもちろんのこと、足場本体Ａにあって、吊り枠２が吊持手段１によって吊持された構築物Ｂに対して横方向に回動され、また、それまで起立されていた床３が倒伏されるとき、床３の先端部を多段足場４に連結することが可能になると共に、足場本体Ａにおいて、倒伏された床３が足場として確立されることになる。
【００８８】
以上のように形成されたこの発明による吊り足場は、図５に示すところに基づいて説明すると、以下の設置方法で構築物Ｂに設けられる。先ず、構築物Ｂに吊持手段１を設け、次いで、図５（Ａ）に示すように、吊持手段１に足場本体Ａを吊持させる。
【００８９】
構築物Ｂに吊持手段１を設けるのについては、棹１１を構築物Ｂの天端に位置決めて連結具１４で構築物Ｂに固定的に連結する。棹１１を構築物Ｂに固定するときには、基軸１２は、垂直状態に維持される。基軸１２が垂直状態に維持されることで、吊持手段１に吊持される足場本体Ａが垂直状態になる。
【００９０】
次いで、吊持手段１に足場本体Ａを吊持させるのには、垂直状態にある基軸１２に足場本体Ａを連結することで良いが、その際には、足場本体Ａにおける吊り枠２を構成する一方の吊り支柱２１の上端部を基軸１２に連結させる。
【００９１】
そのため、連結体１３が利用され、連結体１３は、一つの手順では、あらかじめ基軸１２に連結され、この態勢で、連結体１３が一方の吊り支柱２１の上端部に連結されるとするが、他の手順では、あらかじめ連結体１３が一方の吊り支柱２１の上端部に連結され、この態勢で、連結体１３が基軸１２に連結されるとする。
【００９２】
どの手順によるかは、足場本体Ａが吊持される構築物Ｂや周辺の状況に応じて選択されるであろうが、吊り枠２における一方の吊り支柱２１の上端部が吊持手段１で吊持されることで（図３参照）、足場本体Ａが構築物Ｂに吊持された状態になる。
【００９３】
吊持手段１で構築物Ｂに吊持された足場本体Ａにあっては、吊り枠２が床３を起立させた状態に維持されており、この状態で、図５（Ｂ）に示すように、構築物Ｂに対して横方向に回動され、回動された足場本体Ａにあっては、図５（Ｃ）に示すように、起立されている床３を倒伏させていわゆる展開状態にし、倒伏された床３の先端部を受止め体たる多段足場４に連結する。
【００９４】
吊持手段１で構築物Ｂに吊持された足場本体Ａ、つまり、吊り枠２は、吊持手段１における連結体１３が蝶番構造に形成されてなるから、連結体１３を回動中心にするようにして吊り枠２における一方の吊り支柱２１を横方向に回動し得ることになる。
【００９５】
そして、吊り枠２が一方の吊り支柱２１を回動中心にするようにして横方向に回動することで、吊り枠２における他方の吊り支柱２２が横方向の旋回することになり、吊り枠２が構築物Ｂに対して言わば直交する状態に位置決めされる。この状態から、吊り枠２に対して床３が倒伏されてほぼ水平状態にされる。
【００９６】
一方、床３が吊り枠２に対して倒伏されてほぼ水平状態にされるときには、構築物Ｂに受止め体、つまり、多段足場４があらかじめ設けられてなるとする。つまり、受止め体たる多段足場４は、たとえば、吊持手段１で構築物Ｂに設けられるが、構築物Ｂに吊持手段１を設ける場合には、足場本体Ａを吊持するための吊持手段１も同時進行で構築物Ｂに設けられるのが常態であろう。
【００９７】
だとすれば、足場本体Ａを吊持するための吊持手段１を構築物Ｂに設けるときには、多段足場４を吊持するための吊持手段１が設けられるであろうし、設けられた吊持手段１には多段足場４が吊持されるであろうことからすると、足場本体Ａにおいて床３を倒伏させることになる状況のときには、既に受止め体たる多段足場４が所定位置に設けられているであろうことになる。
【００９８】
このことからすると、構築物Ｂに対して言わば直交する状態に位置決めされた吊り枠２に対して床３が倒伏されてほぼ水平状態にされるときには、床３の先端部を受止め体に連結することが可能になる。
【００９９】
床３の先端部が受止め体に連結されることで、人が立ち入る足場を有した足場本体Ａが構築物Ｂに設けられることになる。構築物Ｂに設けられる足場本体Ａにあっては、床３への人の立ち入りを許容するが、床３に立ち入る人の転落を防止するための手摺を設けるのが好ましく、手摺は、図１および図２中に二点鎖線図で示す高さ位置に設けられるのが良い。ちなみに、足場本体Ａを構築物Ｂから撤去する場合には、上記した手順を逆に辿れば足りる。
【０１００】
図６は、他の実施形態の吊り足場における足場本体Ａを示すものであって、以下には、これについて説明するが、図６に示すところにあって、足場本体Ａは、受止め体を構成する背面枠５を一体に有してなる。
【０１０１】
すなわち、図６に示す足場本体Ａにあっては、前記した図１および図２に示す足場本体Ａと同様の構成を備えてなり、したがって、図示しないが、足場本体Ａが吊持手段１で構築物Ｂに吊持されて、足場本体Ａにおいて倒伏された床３の先端部が受止め体に連結されるとしている。
【０１０２】
そして、この足場本体Ａにあっては、吊り枠２が床３を起伏させる側の反対側に受止め体とされる背面枠５を有してなるもので、背面枠５は、吊り枠２に並列した状態で吊り枠２に一体的に連結される一対の縦支柱５１と、この一対の縦支柱５１における上端部および下端部、さらには、中間部に連結される図示しない横材を有してなる。なお、足場本体Ａにあって、背面枠５は、連結材５２で吊り枠２における両方の吊り支柱２１，２２に一体的に連結されている。
【０１０３】
それゆえ、背面枠５にあっては、一対の縦支柱５１における下端部および中間部に連結される横材が、この背面枠５に対向するように配設される足場本体Ａにおける倒伏された床３の先端部の連結を可能にすることになる。
【０１０４】
ちなみに、一対の縦支柱５１に連結される横材が複数とされて、しかも、人の昇降を許容する間隔を有して連結される場合には、この背面枠５を梯子に見立てることが可能になる。
【０１０５】
以上のことから、図６に示す足場本体Ａにあっては、足場本体Ａを複数連結して使用することを可能にする、つまり、先の足場本体Ａにおける背面枠５に後続の足場本体Ａを連結する態勢を具現化でき、したがって、各足場本体Ａ毎にあらかじめ構築物Ｂに吊持された受止め体が準備されなくて良いことになる。
【０１０６】
つまり、前記した図１および図２に示す足場本体Ａにあっては、足場本体Ａを構築物Ｂに設ける場合には、構築物Ｂがあらかじめ受止め体、すなわち、多段足場４を吊持してなることが必須になる。
【０１０７】
それゆえ、前記した図１および図２に示す足場本体Ａを複数いわゆる連続する態様に設ける場合には、各足場本体Ａ毎に受止め体たる多段足場４が準備されることが必須になり、経済的に不利になり易くなる可能性がある。
【０１０８】
それに対して、図６に示す足場本体ＳＡにあっては、いわゆる先頭になる足場本体Ａにおける床３の先端部を連結させるための受止め体たる、たとえば、多段足場４の配設は必須になるが、多段足場４に対向させる先頭の足場本体Ａに連続する後続の足場本体Ａにおける床３の先端部は先頭の足場本体Ａにおける背面枠５に連結されることになるので、別途に受止め体を設けなくても良いことになる。 
【０１０９】
以上のように、この発明による吊り足場にあっては、足場本体Ａにおいて、吊り枠２に対して枢着する床３を起立状態にすることで、足場本体Ａを板状にコンパクト化することが可能になる。
【０１１０】
したがって、吊り足場を構築物Ｂに設ける際に、コンパクト化された足場本体Ａを吊持手段１の利用で構築物Ｂに吊持させることが可能になり、展開された状態の足場本体Ａを構築物Ｂに吊持させる場合に比較して、足場本体Ａの吊持作業を容易にする。
【０１１１】
そして、吊り足場を構築物Ｂから撤去する際にも、足場本体Ａを板状にコンパクト化し得るから、展開された状態のまま構築物Ｂから撤去する場合に比較して、撤去作業を容易にする。
【０１１２】
その結果、この発明によれば、足場本体Ａが板状にコンパクト化された状態で嵩張らないから、構築物Ｂへの設置および構築物Ｂからの撤去に際して、クレーンなどの機械力や多数人の人力によらずして、設置および撤去を実践し得ることになり、仮設費の高騰を危惧させないことになる。
【符号の説明】
【０１１３】
１  吊持手段
２  吊り枠
３  床
４  受止め体たる多段足場
５  受止め体たる背面枠
１１  棹
１２  基軸
１３  連結体
１３ａ  基軸側クランプ部
１３ｂ  吊り枠側クランプ部
１４  連結具
１４ａ  万力部
１４ｂ  クランプ部
１５  補強材
２１，２２  吊り支柱
２３  頭繋ぎ
２４  脚繋ぎ
２５  横桟
３１  起伏腕
３１ａ  フック
３２  パネル
３３  吊り材
４１  支柱
４２  横材
４３  足場
４４  交差ブレース
４５  手摺
４６  桟部材
５１  縦支柱
５２  横材
Ａ  足場本体
Ｂ  構築物
【図１】
0005873348.tif 000002
【図２】
0005873348.tif 000003
【図３】
0005873348.tif 000004
【図４】
0005873348.tif 000005
【図５】
0005873348.tif 000006
【図６】
0005873348.tif 000007